(57)【要約】      （修正有）【課題】長期に亘って良好な状態を維持して各種の資料を保存しておくための容器を提供する。【解決手段】内部に、少なくとも繊維にゼオライトを結晶合成させたガス吸着シートを備えていることとし、前記した繊維はコットンであることとし、また、前記したガス吸着シートは全面もしくは一部に内張りされていることとする。【選択図】図１
0003162061.tif 000002
【実用新案登録請求の範囲】
【請求項１】
内部に、少なくとも繊維にゼオライトを結晶合成させたガス吸着シートを備えていることを特徴とする容器。
【請求項２】
前記した繊維はコットンであることを特徴とする請求項１に記載の容器。
【請求項３】
前記したガス吸着シートは全面もしくは一部に内張りされていることを特徴とする請求項１から２のうち１項に記載の容器。
【請求項４】
前記したガス吸着シートは表面にガスバリアフィルムによるコーティングがなされていることを特徴とする請求項１から３のうち１項に記載の容器。
【請求項５】
前記したガス吸着シートは、ケミカルパルプを１００％使用し、無酸、無アルカリ、無滲み防止剤とした紙シートとケミカルパルプを１００％使用し、炭酸カルシウムを添加して弱アルカリ性とした紙材で成形された段ボールとの間に挟持されていることを特徴とする請求項１から４のうち１項に記載の容器。
【考案の詳細な説明】
【技術分野】
【０００１】
本考案は容器に関し、特に長期間に亘って良好な状態を維持して各種の資料を保存しておくための容器に関する。
【背景技術】
【０００２】
従来より、書籍、新聞、各種データ等の紙による記録や写真、フィルム、試作品、見本等の長期に亘って保存が要求される資料はファイルされるか、包袋等に入れ、もしくはバラのまま段ボール製をはじめとする箱や缶等の各種容器に入れるか、引き出し等に入れるか、棚に並置される状態とされている。
【０００３】
しかしながら、この従来の保存方法によると、外気は勿論、光や塵埃、そして、容器自体、資料自体から発生する酸(特に酢酸)、作成直後のジアゾフィルムから気化するアンモニア等の影響を受け、揮発性有機物の影響で資料が劣化されてしまうという事態が生じていた。
【先行技術文献】
【特許文献】
【０００４】
出願人は本願考案に関し、先行する技術文献を調査したが、格別に本願考案と関連し、類似すると思われる技術文献は発見できなかった。
【考案の概要】
【考案が解決しようとする課題】
【０００５】
本願考案が解決しようとする問題点は、既存の容器には上記したように保存する資料をどうしても劣化させてしまう要素があり、従来、これを解消し、良好に資料を酸やアンモニア、揮発性有機物からガードする容器として改良することができなかったという点である。
【課題を解決するための手段】
【０００６】
上記した問題点を解決するために、本考案に係る容器は、内部に、少なくとも繊維にゼオライトを結晶合成させたガス吸着シートを備えていることを特徴とし、前記した繊維はコットンであることを特徴としている。
【０００７】
また、本考案に係る容器は、前記したガス吸着シートは全面もしくは一部に内張りされていることを特徴とし、前記したガス吸着シートは表面にガスバリアフィルムによるコーティングがなされていることを特徴とし、前記したガス吸着シートは、ケミカルパルプを１００％使用し、無酸、無アルカリ、無滲み防止剤とした紙シートとケミカルパルプを１００％使用し、炭酸カルシウムを添加して弱アルカリ性とした紙材で成形された段ボールとの間に挟持されていることを特徴としている。
【考案の効果】
【０００８】
本考案に係る容器は上記のように構成されている。そのため、本考案で特定するガス吸着シートを容器内に備えることで、種々のガス、特に酢酸やアンモニアを吸着し、揮発性有機物を吸着抑制することができ、容器内に収納した資料を劣化させることなく、良好な状態で長期保存することが可能となる。
【０００９】
また、このガス吸着シートに加え、モレキュラー・シーブ性能を持つ複数の素材をラミネートさせて容器内に備えると、その効能は更に良化し、ゼオライト本来の性能を最大限に発揮することができ、ガス吸着シート自体が資料を汚染することもなく、ガス吸着シートはガスの吸着限界に近づくと、そのガスに対応して表面が変色するので交換することが可能となる。
【図面の簡単な説明】
【００１０】
【図１】本考案に係る容器へ備えられるガス吸着シートの使用の一例を示す図である。
【図２】ガス吸着シートの構造を示す図である。
【考案を実施するための形態】
【００１１】
図面として示し、実施例で説明したように構成したことで実現した。
【実施例１】
【００１２】
次に、本考案の好ましい実施の一例を図面を参照して説明する。図にあって１はガス吸着シートを示している。このガス吸着シート１はコットン繊維２で、本来粉状のゼオライト結晶３、３‥を合成させシート化したものとなっている。
【００１３】
ゼオライトの構造モデルはガス(悪臭)を吸着する微細孔３を形成した構造となっており、この構造モデル４が約１００００個集まって結晶５となる。即ち、結晶５は微細孔３を多数有するポーラスとなっており、コットン繊維２の幅（約２０μ）内で、この結晶５、５‥が形成された領域と非結晶領域とが形成された構造となっている。これをシート化させることで全体がフレキシブルに形状を変化させることができる。このガス吸着シート１として具体的にはＧＡＩＡＣＯＴ（ガイアコット、商標名−日清紡ホールディングス株式会社）の使用を想定している。
【００１４】
このガス吸着シート１は特に、酢酸とアンモニアに対し有効なものとなっており、この試験結果を表１として示す。
【００１５】
【表１】
0003162061.tif 000003
【００１６】
このガス吸着シート１は単独で、段ボール等をはじめとする容器内に備えても十分に有効なものとなるが、図１として示すように、モレキュラー・シーブ性能を持つ複数の素材（シート）とラミネートさせて容器の内面に内張りすることで、さらに有効性が向上する。
【００１７】
この実施例で示す場合は、ガス吸着シート１をケミカルパルプを１００％使用し、無酸、無アルカリ、無滲み防止剤とし、弱酸性（ｐＨ６．７）の紙シート６と、ケミカルパルプを１００％使用し、炭酸カルシウムを添加して弱アルカリ性（ｐＨ８．５）とした紙材で成形された段ボール７との間に挟持させたものとして、前記紙シート６側を容器の内面に当接させる状態での内張りとし、更に、表側となる段ボール７の表面にガスバリアフィルムの一つとしてポリプロピレンフィルム８をコーティングしてガスをバリアするほか防水処理と、耐衝撃性を図っている。
【００１８】
上記したように、複数の素材シート６、７、８をラミネートさせることで、資料を劣化させる原因となるガスや物質は段階的に吸着除去され、容器内をクリーンな状態で維持することができ、より一層外気からのガスや資料自体から発生するガスを吸着し、資料の保存状況を良化させることができる。
【産業上の利用可能性】
【００１９】
実施例として容器の内面に内張りすることを述べているが、使用の例として、これにこだわるものではなく、仕切板のように立設させる構成等とすることもできる。また、容器としても、段ボール箱等に限らず、木製、プラスチック製、金属製、ガラス製、セラミック製等種々の素材で形成される容器に応用実施することができる。さらに、ポリプロピレンフィルムもこれにこだわるものではなく、他のガスバリアフィルムを使用することができる。
【符号の説明】
【００２０】
１    ガス吸着シート
２    コットン繊維
３    微細孔
４    ゼオライトの構造モデル
５    結晶
６    紙シート
７    段ボール
８    ポリプロピレンフィルム
【図１】
0003162061.tif 000004
【図２】
0003162061.tif 000005